(57)【要約】【課題】  配信先の変更を迅速に行うことが可能になる配信先管理装置および配信先管理を提供する。【解決手段】  格納部３ｂは、プレゼンティティを利用する情報提供者にて設定された、プレゼンティティが有する情報の配信先の変更の可否を示す条件を格納する。判定部３ｃは、受信部３ａから出力された権限委譲要求が要求する配信先の変更を許可するか否かを、格納部３ｂに格納された条件に基づいて判定する。判定部３ｃは、その判定結果およびその権限委譲要求を書換部３ｄに出力する。書換部３ｄは、判定部３ｃが配信先の変更を許可すると判定すると、権限委譲要求に示されたプレゼンティティのプレゼンス情報の配信先を、元ウォッチャから代行ウォッチャへ変更する。【選択図】      図１
2006209193.tif 000002
【特許請求の範囲】
【請求項１】
情報提供者端末が有する情報の配信先の端末を変更する旨の変更要求に基づいて、前記配信先の端末を変更する配信先管理装置であって、
前記情報提供者端末を利用する情報提供者にて設定された、前記配信先の端末の変更の可否を示す条件を格納する格納部と、
前記変更要求を受け付ける受付部と、
前記受付部にて受け付けられた変更要求が要求する配信先の変更を許可するか否かを、前記格納部に格納された条件に基づいて判定する判定部と、
前記判定部が前記配信先の変更を許可すると判定すると、前記変更要求に応じて配信先の端末を変更する変更部と、を含む配信先管理装置。
【請求項２】
請求項１に記載の配信先管理装置において、
前記配信先管理装置は、前記情報提供者が前記情報の配信を許可している配信先を示すアクセス許可リストを管理するアクセスリスト管理部と接続され、
前記変更部は、前記判定部が前記配信先の変更を許可すると判定すると、前記アクセス許可リストに、変更後の配信先の端末を記載する、配信先管理装置。
【請求項３】
請求項１または２に記載の配信先管理装置において、
前記配信先管理装置は、前記情報提供者が前記情報の配信を拒否している配信先を示すアクセス拒否リストを管理するアクセスリスト管理部と接続され、
前記格納部は、前記条件として、変更後の配信先の端末が前記アクセス拒否リストに記載されている場合に前記配信先の端末の変更を拒否することを示す拒否条件を格納する、配信先管理装置。
【請求項４】
請求項１または２に記載の配信先管理装置において、
前記配信先管理装置は、前記情報提供者が前記情報の配信を許可している配信先を示すアクセス許可リストを管理するアクセスリスト管理部と接続され、
前記格納部は、前記条件として、変更後の配信先の端末が前記アクセス許可リストに記載されている場合に前記変更要求に応じた配信先の端末の変更を許可することを示す許可条件を格納する、配信先管理装置。
【請求項５】
請求項１または２に記載の配信先管理装置において、
前記格納部は、前記条件として、前記配信先の変更を全て拒否することを示す拒否条件を格納する、配信先管理装置。
【請求項６】
請求項１または２に記載の配信先管理装置において、
前記配信先管理装置は、前記情報提供者が前記情報の配信を許可している配信先を示すアクセス許可リストを管理するアクセスリスト管理部と接続され、
前記格納部は、前記条件として、前記変更要求が前記アクセス許可リストに記載されている配信先から送信された場合に、前記変更要求に応じた配信先の端末の変更を許可することを示す許可条件を格納する、配信先管理装置。
【請求項７】
請求項１または２に記載の配信先管理装置において、
前記配信先の変更履歴を管理する履歴管理部をさらに含み、
前記格納部は、前記条件として、前記配信先の端末の変更の可否を前記変更履歴に基づいて判断することを示す判断条件を格納する、配信先管理装置。
【請求項８】
請求項１または２に記載の配信先管理装置において、
前記配信先管理装置は、変更前の配信先の端末を示すアクセス許可リストを管理するアクセスリスト管理部と接続され、
変更後の配信先の端末を示す代行者リストを管理する代行リスト管理部をさらに含む、配信先管理装置。
【請求項９】
請求項８に記載の配信先管理装置において、
前記変更要求は、前記配信先の端末を所定期間だけ変更することを要求し、
前記代行リスト管理部は、変更後の配信先の端末が前記代行者リストに示されてから前記所定期間経過すると、前記配信先を元に戻す、配信先管理装置。
【請求項１０】
情報提供者端末を利用する情報提供者にて設定された、配信先の端末の変更の可否を示す条件を格納する格納部を有し、前記情報提供者端末が有する情報の配信先の端末を変更する旨の変更要求に基づいて、前記配信先の端末を変更する配信先管理装置が行う配信先管理方法であって、
前記変更要求を受け付ける受付ステップと、
前記変更要求が要求する配信先の変更を許可するか否かを、前記格納部に格納された条件に基づいて判定する判定ステップと、
前記配信先の変更が許可されると、前記変更要求に応じて配信先の端末を変更する変更ステップと、を含む配信先管理方法。
【請求項１１】
請求項１０に記載の配信先管理方法において、
前記配信先管理装置は、前記情報提供者が前記情報の配信を許可している配信先を示すアクセス許可リストを管理するアクセスリスト管理部と接続され、
前記変更ステップでは、前記配信先の変更が許可されると、前記アクセス許可リストに変更後の配信先の端末を記載する、配信先管理方法。
【請求項１２】
請求項１０または１１に記載の配信先管理方法において、
前記配信先管理装置は、前記情報提供者が前記情報の配信を拒否している配信先を示すアクセス拒否リストを管理するアクセスリスト管理部と接続され、
前記格納部は、前記条件として、変更後の配信先の端末が前記アクセス拒否リストに記載されている場合に前記配信先の端末の変更を拒否することを示す拒否条件を格納する、配信先管理方法。
【請求項１３】
請求項１０または１１に記載の配信先管理方法において、
前記配信先管理装置は、前記情報提供者が前記情報の配信を許可している配信先を示すアクセス許可リストを管理するアクセスリスト管理部と接続され、
前記格納部は、前記条件として、変更後の配信先の端末が前記アクセス許可リストに記載されている場合に前記変更要求に応じた配信先の端末の変更を許可することを示す許可条件を格納する、配信先管理方法。
【請求項１４】
請求項１０または１１に記載の配信先管理方法において、
前記格納部は、前記条件として、前記配信先の変更を全て拒否することを示す拒否条件を格納する、配信先管理方法。
【請求項１５】
請求項１０または１１に記載の配信先管理方法において、
前記配信先管理装置は、前記情報提供者が前記情報の配信を許可している配信先を示すアクセス許可リストを管理するアクセスリスト管理部と接続され、
前記格納部は、前記条件として、前記変更要求が前記アクセス許可リストに記載されている配信先から送信された場合に、前記変更要求に応じた配信先の端末の変更を許可することを示す許可条件を格納する、配信先管理方法。
【請求項１６】
請求項１０または１１に記載の配信先管理方法において、
前記配信先の変更履歴を管理する履歴管理ステップをさらに含み、
前記格納部は、前記条件として、前記配信先の端末の変更の可否を前記変更履歴に基づいて判断することを示す判断条件を格納する、配信先管理方法。
【請求項１７】
請求項１０または１１に記載の配信先管理方法において、
前記配信先管理装置は、変更前の配信先の端末を示すアクセス許可リストを管理するアクセスリスト管理部と接続され、
変更後の配信先の端末を示す代行者リストを管理する代行リスト管理ステップをさらに含む、配信先管理方法。
【請求項１８】
請求項１７に記載の配信先管理方法において、
前記変更要求は、前記配信先の端末を所定期間だけ変更することを要求し、
変更後の配信先の端末が前記代行者リストに示されてから前記所定期間経過すると、前記配信先を元に戻す再変更ステップをさらに含む、配信先管理方法。
【請求項１９】
情報提供者端末を利用する情報提供者にて設定された、配信先の端末の変更の可否を示す条件を格納する格納部と接続されたコンピュータに、前記情報提供者端末が有する情報の配信先の端末を変更する旨の変更要求に基づいて、前記配信先の端末を変更する配信先管理処理を実行させるプログラムであって、
前記変更要求を受け付ける受付処理と、
前記変更要求が要求する配信先の変更を許可するか否かを、前記格納部に格納された条件に基づいて判定する判定処理と、
前記配信先の変更が許可されると、前記変更要求に応じて配信先の端末を変更する変更処理と、を含む配信先管理処理を、前記コンピュータに実行させるプログラム。
【発明の詳細な説明】
【技術分野】
【０００１】
本発明は、配信先管理装置、配信先管理方法およびプログラムに関し、特には、情報提供者端末が有する情報の配信先の変更を管理する配信先管理装置、配信先管理方法およびプログラムに関する。
【背景技術】
【０００２】
従来、ユーザの状態を管理するプレゼンスシステムが知られている。例えば、特許文献１（特開２００３−１４１０３８号公報）には、バディリスト（状態監視対象者リスト）を用いたプレゼンスシステムが記載されている。
【０００３】
なお、プレゼンスシステムは、各ユーザの状態を管理するシステム一般を示すプレゼンスサービスの呼称の一例であり、その基本的なアーキテクチャは、ＲＦＣ（Request For Comment）２７７８に示されている。
【０００４】
プレゼンスシステムは、プレゼンティティと、ウォッチャと、プレゼンスサービス部とを含む。
【０００５】
プレゼンティティは、状態情報提供者の状態情報（プレゼンス情報）を保持する。具体的には、プレゼンティティは、状態情報提供者のプレゼンス情報を保持する情報提供者端末装置である。
【０００６】
ウォッチャは、プレゼンティティが保持するプレゼンス情報を状態情報受信者に提供する。具体的には、ウォッチャは、プレゼンティティが有するプレゼンス情報を受け付ける受信者端末装置（配信先）である。
【０００７】
ウォッチャは、全てのプレゼンティティのプレゼンス情報を受け付けるのではなく、ウォッチャが指定したプレゼンティティのプレゼンス情報を受け付ける。なお、ウォッチャが指定したプレゼンティティは、バディ（監視対象）と称される。ウォッチャは、バディのプレゼンス情報を取得するために、バディを示したバディリスト（情報監視対象者リスト）を作成する。
【０００８】
プレゼンスサービス部は、バディリストに示されたバディのプレゼンス情報をウォッチャに配信する。
【０００９】
なお、プレゼンスサービス部は、全てのバディのプレゼンス情報をウォッチャに配信するのではなく、ウォッチャへのプレゼンス情報の配信を許可したバディのプレゼンス情報のみをウォッチャに配信する。
【００１０】
また、プレゼンティティは、ウォッチャから状態通知要求（プレゼンス情報配信要求）を受けてから、そのウォッチャへのプレゼンス情報の配信を許可するか否かの設定を行う。
【特許文献１】特開２００３−１４１０３８号公報
【発明の開示】
【発明が解決しようとする課題】
【００１１】
従来のプレゼンスシステム（プレゼンスサービス）では、ウォッチャがバディのモニタリングを代行ウォッチャに依頼する場合、代行ウォッチャが、そのバディに対して状態通知要求を送信し、その後、そのバディがその代行ウォッチャへのプレゼンス情報の配信を許可するという一連の作業が必要となる。
【００１２】
このため、その一連の作業が行われている間、代行ウォッチャは、バディのモニタリングを実行できない。したがって、ウォッチャの変更に時間がかかってしまうという問題が生じる。
【００１３】
本発明の目的は、配信先の変更を迅速に行うことが可能になる配信先管理装置、配信先管理方法およびプログラムを提供することである。
【課題を解決するための手段】
【００１４】
上記の目的を達成するため、本発明の配信先管理装置は、情報提供者端末が有する情報の配信先の端末を変更する旨の変更要求に基づいて、前記配信先の端末を変更する配信先管理装置であって、前記情報提供者端末を利用する情報提供者にて設定された、前記配信先の端末の変更の可否を示す条件を格納する格納部と、前記変更要求を受け付ける受付部と、前記受付部にて受け付けられた変更要求が要求する配信先の変更を許可するか否かを、前記格納部に格納された条件に基づいて判定する判定部と、前記判定部が前記配信先の変更を許可すると判定すると、前記変更要求に応じて配信先の端末を変更する変更部とを含む。
【００１５】
また、本発明の配信先管理方法は、情報提供者端末を利用する情報提供者にて設定された、配信先の端末の変更の可否を示す条件を格納する格納部を有し、前記情報提供者端末が有する情報の配信先の端末を変更する旨の変更要求に基づいて、前記配信先の端末を変更する配信先管理装置が行う配信先管理方法であって、前記変更要求を受け付ける受付ステップと、前記変更要求が要求する配信先の変更を許可するか否かを、前記格納部に格納された条件に基づいて判定する判定ステップと、前記配信先の変更が許可されると、前記変更要求に応じて配信先の端末を変更する変更ステップとを含む。
【００１６】
上記の発明によれば、配信先の変更の可否は、格納部に格納されている条件に基づいて判定される。格納部に格納されている条件は、情報提供者にて設定される。このため、配信先の変更の可否は、情報提供者のポリシーに基づいて判定可能となり、また、配信先の変更時に、情報提供者が変更先の端末への情報の配信を許可するか否かを判定する作業を行わなくて済む。
【００１７】
したがって、配信先の変更を迅速に行うことが可能になる。
【００１８】
なお、前記配信先管理装置が、前記情報提供者が前記情報の配信を許可している配信先を示すアクセス許可リストを管理するアクセスリスト管理部と接続され、前記配信先の変更が許可されると、前記アクセス許可リストに変更後の配信先の端末が記載されることが望ましい。
【００１９】
上記の発明によれば、配信先の変更をアクセス許可リストで管理することが可能になる。
【００２０】
また、前記配信先管理装置が、前記情報提供者が前記情報の配信を拒否している配信先を示すアクセス拒否リストを管理するアクセスリスト管理部と接続され、前記格納部が、前記条件として、変更後の配信先の端末が前記アクセス拒否リストに記載されている場合に前記配信先の端末の変更を拒否することを示す拒否条件を格納することが望ましい。
【００２１】
上記の発明によれば、情報提供者が情報を与えたくない端末に対して、その情報を配信することを拒否することが可能になる。
【００２２】
また、前記配信先管理装置が、前記情報提供者が前記情報の配信を許可している配信先を示すアクセス許可リストを管理するアクセスリスト管理部と接続され、前記格納部は、前記条件として、変更後の配信先の端末が前記アクセス許可リストに記載されている場合に前記変更要求に応じた配信先の端末の変更を許可することを示す許可条件を格納することが望ましい。
【００２３】
上記の発明によれば、情報提供者が情報の配信を許可している端末に対して、その情報を配信することが可能になる。
【００２４】
また、前記格納部は、前記条件として、前記配信先の変更を全て拒否することを示す拒否条件を格納することが望ましい。
【００２５】
上記の発明によれば、配信先を変更することを拒否することが可能になる。
【００２６】
また、前記配信先管理装置が、前記情報提供者が前記情報の配信を許可している配信先を示すアクセス許可リストを管理するアクセスリスト管理部と接続され、前記格納部が、前記条件として、前記変更要求が前記アクセス許可リストに記載されている配信先から送信された場合に、前記変更要求に応じた配信先の端末の変更を許可することを示す許可条件を格納することが望ましい。
【００２７】
上記の発明によれば、信頼できる配信先からの変更要求を許可することが可能になる。
【００２８】
また、前記配信先の変更履歴が管理され、前記格納部は、前記条件として、前記配信先の端末の変更の可否を前記変更履歴に基づいて判断することを示す判断条件を格納することが望ましい。
【００２９】
上記の発明によれば、二重、三重の代行監視を制限することが可能になる。
【００３０】
また、前記配信先管理装置が、変更前の配信先の端末を示すアクセス許可リストを管理するアクセスリスト管理部と接続され、変更後の配信先の端末を示す代行者リストが管理されることが望ましい。
【００３１】
上記の発明によれば、変更前の端末のリストと、変更後の端末のリストを別々に管理することが可能になる。
【００３２】
また、前記変更要求は、前記配信先の端末を所定期間だけ変更することを要求し、変更後の配信先の端末が前記代行者リストに示されてから前記所定期間経過すると、前記配信先を元に戻すことが望ましい。
【００３３】
上記の発明によれば、所定期間が経過すると、前記配信先が自動的に戻る。このため、配信先を元に戻す手間を少なくすることが可能となる。
【００３４】
また、本発明のプログラムは、情報提供者端末を利用する情報提供者にて設定された、配信先の端末の変更の可否を示す条件を格納する格納部と接続されたコンピュータに、前記情報提供者端末が有する情報の配信先の端末を変更する旨の変更要求に基づいて、前記配信先の端末を変更する配信先管理処理を実行させるプログラムであって、前記変更要求を受け付ける受付処理と、前記変更要求が要求する配信先の変更を許可するか否かを、前記格納部に格納された条件に基づいて判定する判定処理と、前記配信先の変更が許可されると、前記変更要求に応じて配信先の端末を変更する変更処理と、を含む配信先管理処理を、前記コンピュータに実行させる。
【００３５】
上記の発明によれば、上記配信先管理方法をコンピュータに実行させることが可能になる。
【発明の効果】
【００３６】
本発明によれば、配信先の変更を迅速に行うことが可能になる。
【発明を実施するための最良の形態】
【００３７】
以下、本発明の実施例について図面を参照して説明する。
【００３８】
図１は、本発明の第１実施例の配信先管理装置を示したブロック図である。さらに言えば、図１は、本配信先管理装置を含むプレゼンスシステムを示したブロック図である。
【００３９】
図１において、プレゼンスシステムは、プレゼンスサービス部１と、権限委譲要求生成部（変更要求生成部）２と、一時アクセス管理部（配信先管理装置）３と、情報提供者端末４と、受信者端末５ａと、代行者端末５ｂとを含む。
【００４０】
プレゼンスサービス部１は、アクセスリスト管理部１ａと、バディリスト管理部１ｂとを含む。
【００４１】
権限委譲要求生成部２は、バディ選択部２ａと、権限委譲先決定部２ｂと、権限委譲要求送信部２ｃとを含む。なお、以下では、バディ選択部２ａを「選択部２ａ」と称し、権限委譲先決定部２ｂを「決定部２ｂ」と称し、権限委譲要求送信部２ｃを「送信部２ｃ」と称する。
【００４２】
一時アクセス管理部３は、権限委譲要求受信部３ａと、格納部３ｂと、代行可否判定部３ｃと、アクセスリスト書換部３ｄとを含む。なお、以下では、権限委譲要求受信部３ａを「受信部３ａ」と称し、代行可否判定部３ｃを「判定部３ｃ」と称し、アクセスリスト書換部３ｄを「書換部３ｄ」と称する。
【００４３】
情報提供者端末（プレゼンティティ）４は、情報提供者にて利用される。情報提供者端末４は、情報提供者にて提供される情報（プレゼンス情報）を有する。
【００４４】
受信者端末（ウォッチャ）５ａは、情報提供者端末４が有する情報を受信して情報提供者端末４を監視する。
【００４５】
代行者端末（代行ウォッチャ）５ｂは、受信者端末５ａが受信していた情報を受信者端末５ａに代わって受信して情報提供者端末４を監視する。
【００４６】
なお、図１では、通常のプレゼンスサービス部１（プレゼンスシステム）の機能のうち、本発明と関連する、アクセスリスト管理部１ａと、バディリスト管理部１ｂを示している。
【００４７】
また、格納部３ｂを除いた一時アクセス管理部３は、メモリに記録されているプログラムを読み取り、その読み取られたプログラムを実行するコンピュータによって実現されてもよい。なお、このプログラムは、一時アクセス管理部３が実行する配信先管理方法を、そのコンピュータに実行させる。
【００４８】
アクセスリスト管理部１ａは、情報提供者が情報提供者端末にて保有されている情報の配信を許可した配信先（ウォッチャ）および情報提供者がその配信を禁止した配信先（ウォッチャ）を示したアクセスリストを管理する。
【００４９】
図２は、アクセスリスト管理部１ａで管理されるアクセスリストの一例を示した説明図である。
【００５０】
図２において、アクセスリスト管理部１ａは、プレゼンティティＰ１用アクセスリスト１ａ１と、プレゼンティティＰ２用アクセスリスト１ａ２と、プレゼンティティＰ３用アクセスリスト１ａ３とを管理する。なお、アクセスリストの数は３つに限らず適宜変更可能である。
【００５１】
各アクセスリスト１ａ１、１ａ２、１ａ３は、アクセス許可リスト１ａ１ａと、アクセス拒否リスト１ａ１ｂとを含む。なお、各アクセスリスト１ａ１、１ａ２、１ａ３は、アクセス許可リスト１ａ１ａとアクセス拒否リスト１ａ１ｂのいずれか一方のみを含んでもよい。
【００５２】
アクセス許可リスト１ａ１ａは、プレゼンティティ（具体的には、そのプレゼンティティを利用する情報提供者）が情報の配信を許可したウォッチャ（アクセス許可ウォッチャ）と、そのウォッチャから配信先権限を委譲されたウォッチャ（権限委譲先ウォッチャ）とを示す。なお、アクセス許可リスト１ａ１ａは、アクセス許可ウォッチャのみを示していてもよい。
【００５３】
アクセス拒否リスト１ａ１ｂは、プレゼンティティ（具体的には、そのプレゼンティティを利用する情報提供者）が情報の配信を禁止したウォッチャ（アクセス拒否ウォッチャ）を示す。
【００５４】
図１に戻って、バディリスト管理部１ｂは、バディリストを管理する。
【００５５】
図３は、バディリスト管理部１ｂが管理するバディリストの一例を示した説明図である。
【００５６】
図３において、バディリスト管理部１ｂは、ウォッチャＷ１用バディリスト１ｂ１と、ウォッチャＷ２用バディリスト１ｂ２と、ウォッチャＷ３用バディリスト１ｂ３とを管理する。なお、バディリストの数は３つに限らず適宜変更可能である。
【００５７】
図１に戻って、プレゼンスサービス部１は、そのアクセスリストおよびそのバディリストに基づいて、プレゼンティティ（情報提供者端末４）のプレゼンス情報を、ウォッチャ（受信者端末５ａ）または代行ウォッチャ（代行者端末５ｂ）に配信する。
【００５８】
例えば、プレゼンスサービス部１は、バディリストに示されたバディ（プレゼンティティ）を読み出す。
【００５９】
続いて、プレゼンスサービス部１は、その読み出されたプレゼンティティがそのバディリストの所有者のウォッチャにプレゼンス情報を配信することを許可しているか否かを、アクセスリストを参照して判断する。
【００６０】
プレゼンスサービス部１は、バディリストに示されたバディ（プレゼンティティ）によって配信が許可されているウォッチャに対して、そのバディのプレゼンス情報を配信する。
【００６１】
権限委譲要求生成部２は、変更要求生成部の一例である。権限委譲要求生成部２は、ウォッチャ、ウォッチャのバディリストへのアクセス権を持つユーザ、または、そのアクセス権をもつアプリケーションによって利用され、また、バディリスト管理部１ｂへアクセス可能である。
【００６２】
権限委譲要求生成部２は、バディリストに示されたバディのプレゼンス情報を受信する権限を、そのバディリストの所有者であるウォッチャ（受信者端末５ａ）から、そのウォッチャを代行する代行ウォッチャ（代行者端末５ｂ）へ変更することを要求する権限委譲要求（変更要求）を生成する。
【００６３】
換言すると、権限委譲要求生成部２は、バディリストに示されたバディのプレゼンス情報の配信先を、そのバディリストの所有者のウォッチャから代行者端末へ変更することを要求する権限委譲要求を生成する。
【００６４】
さらに言えば、権限委譲要求は、あるプレゼンティティの状態監視がそのプレゼンティティにて許可されているウォッチャ（元ウォッチャ）が、その監視権限を、別のウォッチャ（代行ウォッチャ）に一時的に委譲することを要求するものである。
【００６５】
選択部２ａは、例えば、ウォッチャからの指示によりバディリスト管理部１ｂにアクセスして、そのウォッチャのバディリストから、代行ウォッチャにモニタリングを依頼するバディ（プレゼンティティ）を選択する。
【００６６】
決定部２ｂは、例えば元ウォッチャからの指示により、代行ウォッチャを指定する。
【００６７】
送信部２ｃは、選択部２ａにて選択されたバディごとに元のウォッチャと決定部２ｂにて決定された代行ウォッチャ（権限委譲先ウォッチャ）との組を示した権限委譲要求を生成する。送信部２ｃは、その権限委譲要求を、一時アクセス管理部３の受信部３ａに送信する。
【００６８】
図４は、権限委譲要求の一例を示した説明図である。
【００６９】
図４において、権限委譲要求２１は、プレゼンティティ２１ａごとに、元ウォッチャ２１ｂと代行ウォッチャ２１ｃとの組を示す。なお、プレゼンティティ２１ａは、選択部２ａにて選択される。また、元ウォッチャ２１ｂは、プレゼンティティ２１ａが示されていたバディリストの所有者のウォッチャである。また、代行ウォッチャ２１ｃは、決定部２ｂにて決定される。
【００７０】
図１に戻って、一時アクセス管理部３は、配信先管理装置の一例である。
【００７１】
一時アクセス管理部３は、プレゼンス情報の配信先の変更を管理する。具体的には、一時アクセス管理部３は、権限委譲要求生成部２から受け付けた権限委譲要求に基づいて、プレゼンスアクセス部１が管理しているアクセスリストを変更する。
【００７２】
受信部３ａは、送信部２ｃが送信した権限委譲要求を受信する。受信部３ａは、その受信された権限委譲要求を判定部３ｃに出力する。
【００７３】
格納部３ｂは、プレゼンティティを利用する情報提供者にて設定された、プレゼンティティが有する情報の配信先の変更の可否を示す条件を格納する。
【００７４】
例えば、格納部３ｂは、代行ウォッチャへの配信先の変更を全て拒否することを示す拒否条件を格納する。
【００７５】
また、格納部３ｂは、代行ウォッチャがアクセス拒否リストに記載されている場合に、その代行ウォッチャへの配信先の変更を拒否することを示す拒否条件を格納する。
【００７６】
また、格納部３ｂは、代行ウォッチャがアクセス許可リストに記載されている場合に、その代行ウォッチャへの配信先の変更を許可することを示す許可条件を格納する。
【００７７】
また、格納部３ｂは、権限委譲要求がアクセス許可リストに記載されている配信先（ウォッチャ）から送信された場合に、その代行ウォッチャへの配信先の変更を許可することを示す許可条件を格納する。
【００７８】
なお、これらの条件は、プレゼンティティごとに異なるように設定されてもよい。
【００７９】
判定部３ｃは、受信部３ａから出力された権限委譲要求が要求する配信先の変更を許可するか否かを、格納部３ｂに格納された条件に基づいて判定する。
【００８０】
例えば、格納部３ｂが、代行ウォッチャへの配信先の変更を全て拒否することを示す拒否条件を格納している場合、判定部３ｃは、代行ウォッチャへの配信先の変更を全て拒否する。
【００８１】
また、格納部３ｂが、代行ウォッチャがアクセス拒否リストに記載されている場合に、その代行ウォッチャへの配信先の変更を拒否することを示す拒否条件を格納していると、判定部３ｃは、代行ウォッチャがアクセス拒否リストに記載されている場合に、その代行ウォッチャへの配信先の変更を拒否する。
【００８２】
また、格納部３ｂが、代行ウォッチャがアクセス許可リストに記載されている場合に、その代行ウォッチャへの配信先の変更を許可することを示す許可条件を格納していると、判定部３ｃは、代行ウォッチャがアクセス許可リストに記載されている場合に、その代行ウォッチャへの配信先の変更を許可する。
【００８３】
また、格納部３ｂが、権限委譲要求がアクセス許可リストに記載されているウォッチャから送信された場合に、その代行ウォッチャへの配信先の変更を許可することを示す許可条件を格納していると、判定部３ｃは、権限委譲要求がアクセス許可リストに記載されているウォッチャから送信された場合に、その代行ウォッチャへの配信先の変更を許可する。
【００８４】
判定部３ｃは、その判定結果およびその権限委譲要求を書換部３ｄに出力する。
【００８５】
書換部３ｄは、判定部３ｃが配信先の変更を許可すると判定すると、権限委譲要求に示されたプレゼンティティのプレゼンス情報の配信先を、元ウォッチャから代行ウォッチャへ変更する。
【００８６】
具体的には、書換部３ｄは、その権限委譲要求に示されたプレゼンティティのアクセス許可リスト（図２参照）を選択する。
【００８７】
書換部３ｄは、その選択されたアクセス許可リストから、その権限委譲要求に示された元ウォッチャを検索する。
【００８８】
書換部３ｄは、その検索された元ウォッチャに対応する権限委譲先ウォッチャの欄に、その権限委譲要求に示された代行ウォッチャを書き込む。
【００８９】
なお、アクセス許可リスト１ａ１ａがアクセス許可ウォッチャしか示していない場合に判定部３ｃが配信先の変更を許可すると判定すると、書換部３ｄは、アクセス許可リスト１ａ１ａにアクセス許可ウォッチャとして示されている元ウォッチャを、その代行ウォッチャに書き換える。
【００９０】
また、アクセス許可リスト１ａ１ａがアクセス許可ウォッチャしか示していない場合に判定部３ｃが配信先の変更を許可すると判定すると、書換部３ｄは、元ウォッチャを削除せずに、アクセス許可リスト１ａ１ａに代行ウォッチャに追加してもよい。
【００９１】
また、判定部３ｃが配信先の変更を許可すると判定したときに代行ウォッチャがすでにアクセス許可リスト１ａ１ａに示されている場合には、書換部３ｄは、アクセス許可リスト１ａ１ａを変更しない。
【００９２】
また、判定部３ｃが配信先の変更を許可すると判定したときに代行ウォッチャがアクセス拒否リストに含まれている場合には、書換部３ｄは、その代行ウォッチャをアクセス拒否リストから削除し、その代行ウォッチャをアクセス許可リストに追加する。
【００９３】
なお、アクセスリスト管理部１ａと、バディリスト管理部１ｂは、プレゼンスサービスの実現方式によって、サーバで集中管理される場合と、クライアントに分散して管理される場合とがある。
【００９４】
同様に、権限委譲要求生成部２と一時アクセス管理部３も、サーバで集中管理される場合と、クライアントに分散配置される場合とがある。
【００９５】
図５は、プレゼンスサービスがサーバ集中管理モデルである場合の例を示したブロック図である。なお、図５において、図１に示したものと同一のものには同一符号を付してある。
【００９６】
図５において、アクセスリスト管理部１ａとバディリスト管理部１ｂは、プレゼンスサーバ１によって一元管理される。なお、プレゼンスサーバ１は、プレゼンスサービス部の一例である。
【００９７】
また、一時アクセス管理部３と権限委譲要求生成部２も、プレゼンスサーバ１によって集中管理されている。
【００９８】
図５に示した構成では、権限委譲要求生成部２の各機能（選択部２ａ、決定部２ｂおよび送信部２ｃ）は、Ｗｅｂインタフェース６を介して、受信者端末（ウォッチャｉ）５からの要求を受け付け、その要求を処理する。
【００９９】
また、図５に示した構成では、１つの一時アクセス管理部３が、各ウォッチャからの権限委譲要求（代行モニタリング要求）をすべて処理する。
【０１００】
図６は、プレゼンスサービスが分散管理モデルである場合の例を示したブロック図である。なお、図６において、図１に示したものと同一のものには同一符号を付してある。
【０１０１】
図６において、アクセスリスト管理部１ａａはプレゼンティティＰに含まれ、アクセスリスト管理部１ａｂはプレゼンティティＱに含まれる。また、バディリスト管理部１ｂａはウォッチャＸに含まれ、バディリスト管理部１ｂｂは、ウォッチャＹに含まれる。
【０１０２】
また、一時アクセス管理部３１はプレゼンティティＰに含まれ、一時アクセス管理部３２はプレゼンティティＱに含まれる。また、権限委譲要求生成部２も、個々のクライアント（ウォッチャ）にて管理されている。なお、プレゼンティティＰおよびQは、図１に示した情報提供者端末４に対応する。また、ウォッチャＸは図１に示した受信者端末５ａに対応し、ウォッチャＹは図１に示した代行者端末５ｂに対応する。
【０１０３】
図６に示した構成では、ウォッチャの権限委譲要求は、個々のウォッチャ・クライアントに付随する権限委譲要求生成部２で生成され、その後、個々のプレゼンティティ・クライアントに付随する一時アクセス管理部３に個別に送信される。
【０１０４】
次に、第１実施例の動作を説明する。
【０１０５】
ステップ１０１では、選択部２ａは、元ウォッチャからの指示によりバディリスト管理部１ｂにアクセスして、その元ウォッチャのバディリストから、代行ウォッチャにモニタリングを依頼するバディを選択する。
【０１０６】
バディが選択されると、決定部２ｂは、ステップ１０２を実行する。
【０１０７】
ステップ１０２では、決定部２ｂは、そのバディの情報を受信（モニタリング）する権限が元ウォッチャから委譲される代行ウォッチャを決定する。
【０１０８】
決定部２ｂは、例えば、以下のようにして代行ウォッチャを決定する。
【０１０９】
決定部２ｂは、元ウォッチャから代行ウィッチャを示す識別子を受け付け、その識別子に基づいて代行ウォッチャを決定する。
【０１１０】
なお、決定部２ｂは、代行ウォッチャ候補を示したリストを元ウォッチャに提供し、そのリストから元ウォッチャのユーザによって選択された候補を代行ウォッチャとして決定してもよい。
【０１１１】
また、決定部２ｂは、プログラムにしたがって自動的に代行ウォッチャを決定してもよい。例えば、決定部２ｂは、バディリスト管理部１ｂで管理されるバディの中からランダムにバディを選択し、その選択されたバディを代行ウォッチャとして決定する処理を、プログラムにしたがって実行する。
【０１１２】
なお、ステップ１０１とステップ１０２の順序は逆でもよい。
【０１１３】
バディと代行ウォッチャの選定が終了すると、送信部２ｃは、ステップ１０３を実行する。
【０１１４】
ステップ１０３では、送信部２ｃは、選択部２ａにて選択されたバディごとに、元ウォッチャとその選定された代行ウォッチャとの組を示した権限委譲要求（図４参照）を生成する。送信部２ｃは、その権限委譲要求を、一時アクセス管理部３の受信部３ａに送信する。
【０１１５】
権限委譲要求が送信されると、受信部３ａは、ステップ１０４を実行する。
【０１１６】
ステップ１０４では、受信部３ａは、その権限委譲要求を受信し、その権限委譲要求を判定部３ｃに出力する。
【０１１７】
判定部３ｃは、その権限委譲要求を受け付けると、ステップ１０５を実行する。
【０１１８】
ステップ１０５では、判定部３ｃは、その権限委譲要求が要求する配信先の変更を許可するか否かを、格納部３ｂに格納された条件に基づいて判定する。
【０１１９】
例えば、格納部３ｂが、代行ウォッチャへの配信先の変更を全て拒否することを示す拒否条件を格納している場合、判定部３ｃは、代行ウォッチャへの配信先の変更を全て拒否する。
【０１２０】
また、格納部３ｂが、代行ウォッチャがアクセス拒否リストに記載されている場合に、その代行ウォッチャへの配信先の変更を拒否することを示す拒否条件を格納していると、判定部３ｃは、代行ウォッチャがアクセス拒否リストに記載されている場合に、その代行ウォッチャへの配信先の変更を拒否する。
【０１２１】
また、格納部３ｂが、代行ウォッチャがアクセス許可リストに記載されている場合に、その代行ウォッチャへの配信先の変更を許可することを示す許可条件を格納していると、判定部３ｃは、代行ウォッチャがアクセス許可リストに記載されている場合に、その代行ウォッチャへの配信先の変更を許可する。
【０１２２】
また、格納部３ｂが、権限委譲要求がアクセス許可リストに記載されているウォッチャから送信された場合に、その代行ウォッチャへの配信先の変更を許可することを示す許可条件を格納していると、判定部３ｃは、権限委譲要求がアクセス許可リストに記載されているウォッチャから送信された場合に、その代行ウォッチャへの配信先の変更を許可する。
【０１２３】
判定部３ｃは、その判定結果およびその権限委譲要求を、書換部３ｄに出力する。
【０１２４】
書換部３ｄは、その判定結果およびその権限委譲要求を受け付けると、ステップ１０６を実行する。
【０１２５】
ステップ１０６では、判定部３ｃが配信先の変更を許可すると判定すると、書換部３ｄは、権限委譲要求に示されたプレゼンティティのプレゼンス情報の配信先を、元ウォッチャから代行ウォッチャへ変更する。
【０１２６】
具体的には、書換部３ｄは、その権限委譲要求に示されたプレゼンティティのアクセス許可リスト（図２参照）を選択する。書換部３ｄは、その選択されたアクセス許可リストから、その権限委譲要求に示された元ウォッチャを検索する。書換部３ｄは、その検索された元ウォッチャに対応する権限委譲先ウォッチャの欄に、その権限委譲要求に示された代行ウォッチャを書き込む。
【０１２７】
なお、アクセス許可リスト１ａ１ａがアクセス許可ウォッチャしか示していない場合に判定部３ｃが配信先の変更を許可すると判定すると、書換部３ｄは、アクセス許可リスト１ａ１ａにアクセス許可ウォッチャとして示されている元ウォッチャを、その代行ウォッチャに書き換える。
【０１２８】
また、アクセス許可リスト１ａ１ａがアクセス許可ウォッチャしか示していない場合に判定部３ｃが配信先の変更を許可すると判定すると、書換部３ｄは、元ウォッチャを削除せずに、アクセス許可リスト１ａ１ａに代行ウォッチャに追加してもよい。
【０１２９】
また、判定部３ｃが配信先の変更を許可すると判定したときに代行ウォッチャがすでにアクセス許可リスト１ａ１ａに示されている場合には、書換部３ｄは、アクセス許可リスト１ａ１ａを変更しない。
【０１３０】
また、判定部３ｃが配信先の変更を許可すると判定したときに代行ウォッチャがアクセス拒否リストに含まれている場合には、書換部３ｄは、その代行ウォッチャをアクセス拒否リストから削除し、その代行ウォッチャをアクセス許可リストに追加する。
【０１３１】
その後、代行ウォッチャが、プレゼンスサービスを利用し、プレゼンティティからの状態通知要求（SUBSCRIBE）を発行すると、その書き換えられたアクセスリストが、プレゼンスサービスにおけるアクセス制御で利用され、代行ウォッチャへバディの情報が配信される。
【０１３２】
なお、権限委譲要求を解除するには、権限委譲先のウォッチャ（代行ウォッチャ）から権限委譲元のウォッチャ（元ウォッチャ）への権限委譲要求が発行されればよい。
【０１３３】
次に、プレゼンスサービスが分散モデルで構成される場合の動作を説明する。
【０１３４】
図７は、プレゼンスサービスが分散モデルで構成される場合の動作を説明するためのブロック図である。
【０１３５】
図７において、プレゼンティティＰ１〜Ｐ４のそれぞれの構成は、図６に示したプレゼンティティＰの構成と同一である。なお、プレゼンティティＰ１〜Ｐ４は、図１に示した情報提供者端末４に対応する。
【０１３６】
また、ウォッチャＷ１およびＷ２のそれぞれの構成は、図６に示したウォッチャＸの構成と同一である。なお、ウォッチャＷ１は、図１に示した受信者端末５ａに対応し、ウォッチャＷ２は、図１に示した代行者端末５ｂに対応する。
【０１３７】
なお、以下では、説明を容易にするために、以下に示す場合の動作を説明する。
【０１３８】
ウォッチャＷ１は、バディリストＢ１を所有する。バディリストＢ１には、プレゼンティティＰ１〜Ｐ３が記載されている。
【０１３９】
ウォッチャＷ２は、バディリストＢ２を所有する。バディリストＢ２には、プレゼンティティＰ１〜Ｐ４が記載されている。
【０１４０】
プレゼンティティＰ１は、アクセス許可リストＡ１およびアクセス拒否リストＤ１を所有する。アクセス許可リストＡ１には、ウォッチャＷ１が記載されている。アクセス拒否リストＤ１には、アクセス拒否ウォッチャが記載されていない。
【０１４１】
プレゼンティティＰ２は、アクセス許可リストＡ２およびアクセス拒否リストＤ２を所有する。アクセス許可リストＡ２には、ウォッチャＷ１およびＷ２が記載されている。アクセス拒否リストＤ２には、アクセス拒否ウォッチャが記載されていない。
【０１４２】
プレゼンティティＰ３は、アクセス許可リストＡ３およびアクセス拒否リストＤ３を所有する。アクセス許可リストＡ３には、ウォッチャＷ１が記載されている。アクセス拒否リストＤ３には、ウォッチャＷ２が記載されている。
【０１４３】
プレゼンティティＰ４は、アクセス許可リストＡ４およびアクセス拒否リストＤ４を所有する。アクセス許可リストＡ４には、ウォッチャＷ２が記載されている。アクセス拒否リストＤ４には、アクセス拒否ウォッチャが記載されていない。
【０１４４】
ウォッチャＷ１は、ウォッチャＷ２に、ウォッチャＷ１のバディリストＢ１に含まれるプレゼンティティＰ１、プレゼンティティＰ２、プレゼンティティＰ３のモニタリングの代行を依頼する。換言すると、ウォッチャＷ１は、代行ウォッチャとして、ウォッチャＷ２を指定する。
【０１４５】
プレゼンティティＰ１、プレゼンティティＰ２およびプレゼンティティＰ３のそれぞれの格納部３ｂは、代行ウォッチャがアクセス拒否リストに含まれていなければ、その代行ウォッチャによる代行モニタリングを許可する許可条件を格納する。換言すると、その許可条件は、代行ウォッチャがアクセス拒否リストに含まれていなければ、配信先をその代行ウォッチャに変更することを許可することを示す。
【０１４６】
また、プレゼンティティＰ１、プレゼンティティＰ２およびプレゼンティティＰ３は、代行モニタリングが許可された場合、アクセス許可リスト上で元ウォッチャを代行ウォッチャに置き換えるのではなく、アクセス許可リストに代行ウォッチャを追加する。
【０１４７】
ステップ２０１では、ウォッチャＷ１の選択部２ａは、ウォッチャＷ１のバディリストＢ２に含まれるバディ（プレゼンティティ）のうち、プレゼンティティＰ１、プレゼンティティＰ２およびプレゼンティティＰ３を選択する。
【０１４８】
プレゼンティティが選択されると、ウォッチャＷ１の決定部２ｂは、ステップ２０２を実行する。
【０１４９】
ステップ２０２では、ウォッチャＷ１の決定部２ｂは、代行ウォッチャとしてウォッチャＷ２を指定する。
【０１５０】
なお、ステップ２０１とステップ２０２の順序は逆でもよい。
【０１５１】
プレゼンティティと代行ウォッチャの指定が終了すると、ウォッチャＷ１の送信部２ｃは、ステップ２０３を実行する。
【０１５２】
ステップ２０３では、ウォッチャＷ１の送信部２ｃは、プレゼンティティＰ１、プレゼンティティＰ２およびプレゼンティティＰ３に対して、ウォッチャＷ１（元ウォッチャ）によるモニタリング権限を、ウォッチャＷ２（代行ウォッチャ）に委譲することを要求する権限委譲要求（図４参照）を送信する。
【０１５３】
権限委譲要求が送信されると、プレゼンティティＰ１の受信部３ａは、ステップ２０４を実行する。
【０１５４】
ステップ２０４では、プレゼンティティＰ１の受信部３ａは、その権限委譲要求を受信し、その権限委譲要求をプレゼンティティＰ１の判定部３ｃに出力する。
【０１５５】
プレゼンティティＰ１の判定部３ｃは、その権限委譲要求を受け付けると、ステップ２０５を実行する。
【０１５６】
ステップ２０５では、プレゼンティティＰ１の判定部３ｃは、その権限委譲要求が要求する配信先の変更を許可するか否かを、プレゼンティティＰ１の格納部３ｂに格納された条件に基づいて判定する。
【０１５７】
具体的には、プレゼンティティＰ１の判定部３ｃは、代行ウォッチャとしてのウォッチャＷ２がアクセス拒否リストＤ１に含まれないことを確認した上で、配信先をウォッチャＷ１からウォッチャＷ２へ変更することを許可する。
【０１５８】
プレゼンティティＰ１の判定部３ｃは、その判定結果およびその権限委譲要求を、プレゼンティティＰ１の書換部３ｄに出力する。
【０１５９】
プレゼンティティＰ１の書換部３ｄは、その判定結果およびその権限委譲要求を受け付けると、ステップ２０６を実行する。
【０１６０】
ステップ２０６では、プレゼンティティＰ１の判定部３ｃが配信先の変更を許可すると判定すると、プレゼンティティＰ１の書換部３ｄは、権限委譲要求に示されたプレゼンティティのプレゼンス情報の配信先が元ウォッチャから代行ウォッチャへ変更されるように、プレゼンティティＰ１のアクセス許可リストＡ１に代行ウォッチャＷ２を追加する。
【０１６１】
一方、プレゼンティティＰ２の受信部３ａが権限委譲要求を受け付けると、プレゼンティティＰ２は、プレゼンティティＰ１と同様に動作する。なお、プレゼンティティＰ２のアクセス許可リストＡ２には、予めウォッチャＷ２が記載されているので、アクセス許可リストＡ２は変更されない。
【０１６２】
一方、プレゼンティティＰ３の受信部３ａが権限委譲要求を受け付けると、プレゼンティティＰ３は、プレゼンティティＰ１と同様に動作する。なお、プレゼンティティＰ３のアクセス拒否リストＤ３には、ウォッチャＷ２が記載されているので、アクセス許可リストＡ２は変更されない。
【０１６３】
本実施例によれば、以下のような効果を奏する。
【０１６４】
ウォッチャが、プレゼンティティのモニタリングを一時的にできなく場合または緊急の場合などに、迅速かつ安全に、別のウォッチャ（代行ウォッチャ）にそのモニタリング権限を委譲することができる。
【０１６５】
本実施例によれば、以下のような作用効果を奏する。
【０１６６】
判定部３ｃは、配信先の変更の可否を、格納部３ｂに格納されている条件に基づいて判定する。格納部３ｂに格納されている条件は、情報提供者にて設定される。このため、配信先の変更の可否は、情報提供者のポリシーに基づいて判定可能となり、また、配信先の変更時に、情報提供者が変更先のウォッチャへの情報の配信を許可するか否かを判定する作業を行わなくて済む。したがって、配信先（ウォッチャ）の変更を迅速に行うことが可能になる。
【０１６７】
また、本実施例では、書換部３ｄは、配信先の変更が許可されると、アクセス許可リストに代行ウォッチャを記載する。この場合、配信先の変更をアクセス許可リストで管理することが可能になる。
【０１６８】
また、本実施例では、格納部３ｂは、代行ウォッチャがアクセス拒否リストに記載されている場合にその代行ウォッチャへの配信先の変更を拒否することを示す拒否条件を格納する。この場合、情報提供者が情報を与えたくない代行ウォッチャに対して、その情報を配信することを拒否することが可能になる。
【０１６９】
また、本実施例では、格納部３ｂは、代行ウォッチャがアクセス許可リストに記載されている場合にその代行ウォッチャへの配信先の変更を許可することを示す許可条件を格納する。この場合、情報提供者が情報の配信を許可している代行ウォッチャに対して、その情報を配信することが可能になる。
【０１７０】
また、本実施例では、格納部３ｂは、代行ウォッチャへの配信先の変更を全て拒否することを示す拒否条件を格納する。この場合、配信先を代行ウォッチャへ変更することを拒否することが可能になる。
【０１７１】
また、本実施例では、格納部３ｂは、権限委譲要求がアクセス許可リストに記載されている元ウォッチャから送信された場合に、代行ウォッチャへの配信先の変更を許可することを示す許可条件を格納する。この場合、信頼できる配信先からの権限委譲要求を許可することが可能になる。
【０１７２】
次に、第２実施例を説明する。
【０１７３】
図８は、第２実施例の配信先管理装置を示したブロック図である。さらに言えば、図８は、本配信先管理装置を含むプレゼンスシステムを示したブロック図である。なお、図８において、図１に示したものと同一のものには同一符号を付してある。
【０１７４】
第１実施例と第２実施例との主な相違点は、第２実施例の一時アクセス管理部３０が代行リスト管理部（以下「管理部」と称する）３ｅを含む点である。
【０１７５】
管理部３ｅは、履歴管理部の一例である。管理部３ｅは、配信先の変更履歴を管理する。
【０１７６】
管理部３ｅは、プレゼンティティごとに、判定部３ｃで権限委譲が許可された元ウォッチャおよび代行ウォッチャの組を示す代行リスト（変更履歴）を管理する。
【０１７７】
図９は、代行リストとアクセスリストの一例を示した説明図である。
【０１７８】
図９において、管理部３ｅは、プレゼンティティＰ１用代行リスト３ｅ１と、プレゼンティティＰ２用代行リスト３ｅ２と、プレゼンティティＰ３用代行リスト３ｅ３とを管理する。なお、代行リストの数は３つに限らず適宜変更可能である。
【０１７９】
各代行リスト３ｅ１、３ｅ２、３ｅ３は、権限委譲元ウォッチャ（元ウォッチャ）と権限委譲先ウォッチャ（代行ウォッチャ）との組を示す。
【０１８０】
また、アクセスリスト管理部１ａは、プレゼンティティＰ１用アクセスリスト１ａ４と、プレゼンティティＰ２用アクセスリスト１ａ５と、プレゼンティティＰ３用アクセスリスト１ａ６とを管理する。なお、アクセスリストの数は３つに限らず適宜変更可能である。
【０１８１】
各アクセスリスト１ａ４、１ａ５、１ａ６は、アクセス許可リスト１ａ４ａと、アクセス拒否リスト１ａ４ｂとを含む。なお、各アクセスリスト１ａ４、１ａ５、１ａ６は、アクセス許可リスト１ａ４ａとアクセス拒否リスト１ａ４ｂのいずれか一方のみを含んでもよい。
【０１８２】
アクセス許可リスト１ａ４ａは、プレゼンティティが情報の配信を許可したアクセス許可ウォッチャを示す。アクセス拒否リスト１ａ４ｂは、プレゼンティティが情報の配信を禁止したアクセス拒否ウォッチャを示す。
【０１８３】
なお、代行リストは、代行モニタリングが終了するまで保存される。代行リストは、代行モニタリング終了時に、アクセスリストを代行モニタリングが実行される前の状態に戻すために利用される。
【０１８４】
また、代行モニタリング中に、アクセスリストの内容が情報提供者によって変更された場合には、変更後の内容が優先される。このため、代行モニタリングが終了しても、アクセスリストは変更されない。
【０１８５】
例えば、代行モニタリング中に、委譲元のウォッチャがアクセス拒否リストに追加された場合には、代行モニタリング終了後、委譲元のウォッチャは、アクセス許可リストには追加されない。
【０１８６】
また、格納部３ｂは、代行ウォッチャから他の代行ウォッチャへの配信先の変更の可否を、代行リストに基づいて判断することを示す判断条件を格納してもよい。この場合、判定部３ｃは、代行リストの情報を利用して、代行ウォッチャがさらに別の代行ウォッチャによって代行されるのを、制限することができる。
【０１８７】
図１０は、第２実施例のプレゼンスサービスがサーバ集中管理モデルである場合の例を示したブロック図である。なお、図１０において、図８および図５に示したものと同一のものには同一符号を付してある。
【０１８８】
図１１は、第２実施例のプレゼンスサービスが分散管理モデルである場合の例を示したブロック図である。なお、図１１において、図８および図６に示したものと同一のものには同一符号を付してある。
【０１８９】
次に、第２実施例の動作について説明する。なお、以下では、第１実施例と異なる動作を中心に説明する。
【０１９０】
判定部３ｃは、判定結果および権限委譲要求（図４参照）を、書換部３ｄおよび管理部３ｅに出力する。
【０１９１】
管理部３ｅは、判定部３ｃが配信先の変更を許可すると判定すると、その権限委譲要求に示された内容を代行リストに追加する。
【０１９２】
その後、代行ウォッチャが、プレゼンスサービスを利用し、プレゼンティティからの状態通知要求（SUBSCRIBE）を発行すると、その書き換えられたアクセスリストが、プレゼンスサービスにおけるアクセス制御で利用され、代行ウォッチャへバディの情報が配信される。
【０１９３】
その後、元ウォッチャが、同様の手順にて、権限委譲解除要求を発行すると、判定部３ｃは代行ウォッチャに委譲された権限を無効にし、管理部３ｅは、代行リストから、元のウォッチャから代行ウォッチャへの権限委譲を示す情報を削除する。
【０１９４】
次に、第２実施例のプレゼンスサービスが分散モデルで構成される場合の動作を説明する。
【０１９５】
図１２は、第２実施例のプレゼンスサービスが分散モデルで構成される場合の動作を説明するためのブロック図である。
【０１９６】
図１２において、プレゼンティティＰ１〜Ｐ４のそれぞれの構成は、図１１に示したプレゼンティティＰの構成と同一である。また、ウォッチャＷ１およびＷ２のそれぞれの構成は、図１１に示したウォッチャＸの構成と同一である。
【０１９７】
なお、以下では、説明を容易にするために、以下に示す場合の動作を説明する。
【０１９８】
ウォッチャＷ１は、バディリストＢ１を所有する。バディリストＢ１には、プレゼンティティＰ１〜Ｐ３が記載されている。
【０１９９】
ウォッチャＷ２は、バディリストＢ２を所有する。バディリストＢ２には、プレゼンティティＰ１〜Ｐ４が記載されている。
【０２００】
プレゼンティティＰ１は、アクセス許可リストＡ１と、アクセス拒否リストＤ１と、代行リストＳ１とを所有する。アクセス許可リストＡ１には、ウォッチャＷ１が記載されている。アクセス拒否リストＤ１には、アクセス拒否ウォッチャが記載されていない。代行リストＳ１には、何も記載されていない。
【０２０１】
プレゼンティティＰ２は、アクセス許可リストＡ２と、アクセス拒否リストＤ２と、代行リストＳ２を所有する。アクセス許可リストＡ２には、ウォッチャＷ１およびＷ２が記載されている。アクセス拒否リストＤ２には、アクセス拒否ウォッチャが記載されていない。代行リストＳ２には、何も記載されていない。
【０２０２】
プレゼンティティＰ３は、アクセス許可リストＡ３と、アクセス拒否リストＤ３と、代行リストＳ３を所有する。アクセス許可リストＡ３には、ウォッチャＷ１が記載されている。アクセス拒否リストＤ３には、ウォッチャＷ２が記載されている。代行リストＳ３には、何も記載されていない。
【０２０３】
プレゼンティティＰ４は、アクセス許可リストＡ４と、アクセス拒否リストＤ４と、代行リストＳ３を所有する。アクセス許可リストＡ４には、ウォッチャＷ２が記載されている。アクセス拒否リストＤ４には、アクセス拒否ウォッチャが記載されていない。代行リストＳ４には、何も記載されていない。
【０２０４】
ウォッチャＷ１は、ウォッチャＷ２に、ウォッチャＷ１のバディリストＢ１に含まれるプレゼンティティＰ１、プレゼンティティＰ２、プレゼンティティＰ３のモニタリングの代行を依頼する。換言すると、ウォッチャＷ１は、代行ウォッチャとして、ウォッチャＷ２を指定する。
【０２０５】
プレゼンティティＰ１、プレゼンティティＰ２およびプレゼンティティＰ３のそれぞれの格納部３ｂは、代行ウォッチャがアクセス拒否リストに含まれていなければ、その代行ウォッチャによる代行モニタリングを許可する許可条件を格納する。換言すると、その許可条件は、代行ウォッチャがアクセス拒否リストに含まれていなければ、配信先をその代行ウォッチャに変更することを許可することを示す。
【０２０６】
また、プレゼンティティＰ１、プレゼンティティＰ２およびプレゼンティティＰ３は、代行モニタリングが許可された場合、アクセス許可リスト上で元ウォッチャを代行ウォッチャに置き換えるのではなく、アクセス許可リストに代行ウォッチャを追加する。
【０２０７】
以下では、第１実施例と異なる動作を中心に説明する。
【０２０８】
プレゼンティティＰ１の判定部３ｃは、代行ウォッチャとしてのウォッチャＷ２がアクセス拒否リストＤ１に含まれないことを確認した上で、配信先をウォッチャＷ１からウォッチャＷ２へ変更することを許可する。
【０２０９】
プレゼンティティＰ１の判定部３ｃは、その判定結果およびその権限委譲要求を、プレゼンティティＰ１の書換部３ｄおよびプレゼンティティＰ１の管理部３ｅに出力する。
【０２１０】
プレゼンティティＰ１の管理部３ｅは、プレゼンティティＰ１の判定部３ｃが配信先の変更を許可すると判定すると、その権限委譲要求に示された内容を代行リストＳ１に追加する。例えば、プレゼンティティＰ１の管理部３ｅは、代行リストＳ１に「ウォッチャＷ１はウォッチャＷ２に権限委譲」したことを追加する。
【０２１１】
一方、プレゼンティティＰ２の受信部３ａが権限委譲要求を受け付けると、プレゼンティティＰ２は、プレゼンティティＰ１と同様に動作する。プレゼンティティＰ２のアクセス許可リストＡ２には、予めウォッチャＷ２が記載されているので、アクセス許可リストＡ２および代行リストＳ２は変更されない。なお、プレゼンティティＰ２の代行リストＳ２に、「ウォッチャＷ１はウォッチャＷ２に権限委譲」したことが追加されてもよい。
【０２１２】
一方、プレゼンティティＰ３の受信部３ａが権限委譲要求を受け付けると、プレゼンティティＰ３は、プレゼンティティＰ１と同様に動作する。プレゼンティティＰ３のアクセス拒否リストＤ３には、ウォッチャＷ２が記載されているので、アクセス許可リストＡ２および代行リストＳ３は変更されない。
【０２１３】
本実施例によれば、アクセスリスト管理部１ａがアクセスリストを管理し、管理部３ｅが代行リストを管理する。このため、アクセスリストと代行リストとを別々に管理することが可能になる。
【０２１４】
なお、格納部が、代行ウォッチャから他の代行ウォッチャへの配信先の変更の可否を代行リストに基づいて判断することを示す判断条件を格納すれば、判定部３ｃは、二重、三重の代行監視を制限することが可能になる。
【０２１５】
次に、第３実施例を説明する。
【０２１６】
図１３は、第３実施例の配信先管理装置を示したブロック図である。さらに言えば、図１３は、本配信先管理装置を含むプレゼンスシステムを示したブロック図である。なお、図１３において、図８に示したものと同一のものには同一符号を付してある。
【０２１７】
第３実施例と第２実施例との主な相違点は、第２実施例の管理部３ｅ、判定部３ｃおよび格納部３ｂが、アクセスリスト管理部１ａ内に存在する点である。さらに言えば、アクセスリスト管理部１ａが、アクセスリスト書換部３ｄを兼ねる。
【０２１８】
第３実施例では、アクセスリスト管理部１ａは、アクセスリスト（アクセス許可リストとアクセス拒否リストとを含む）と、代行リストとを管理することが可能になる。また、判定部３ｃはアクセスリスト管理部１ａに含まれる。したがって、判定部３ｃは、アクセスリストの変更を即座に認識することが可能になる。
【０２１９】
第３実施例では、判定部３ｃは、配信先を代行ウォッチャへ変更するか否かの判断を、アクセスリストの変化に対して柔軟に変更することが可能になる。
【０２２０】
例えば、あるウォッチャを委譲先ウォッチャに追加するか否かを判断する際にそのウォッチャがアクセス拒否リストに含まれているか否かを考慮する必要がある場合、判定部３ｃは、アクセス拒否リストが更新されるたびに、委譲先ウォッチャの正当性を確認することができる。
【０２２１】
なお、第２実施例および第３実施例では、代行ウォッチャを、正規のアクセスリストとは別に、代行リストとして管理する。このため、例えば、代行リスト管理部３ｅが、代行リストに記載された内容の継続時間を確認すれば、代行モニタリング終了後、代行ウォッチャに、サブスクライブ権限を誤って与え続ける危険性を軽減することができる。
【０２２２】
また、第２実施例および第３実施例では、代行リストを管理することで、代行モニタリングの階層化を把握することが可能になる。このため、二重、三重の代行モニタリングを制限することができる。
【０２２３】
また、第１実施例および第２実施例は、既存のプレゼンスサービスに機能変更を加えずに、実現可能である。
【０２２４】
なお、上記の実施例では、権限委譲元のウォッチャが、権限委譲解除要求を発行することで、代行モニタリングを終了していた。
【０２２５】
しかしながら、権限委譲要求が権限委譲期間を指定する情報を有し、その期間が終了すると、管理部３ｅが、自動的に権限委譲を解除して配信先を代行ウォッチャから元ウォッチャに戻してもよい。
【０２２６】
この場合、所定期間が経過すると、配信先が代行ウォッチャから元ウォッチャに自動的に戻る。このため、配信先を元に戻す手間を少なくすることが可能となる。
【０２２７】
上記の実施例においては、権限委譲先のウォッチャがひとつの場合について説明したが、権限委譲先のウォッチャを、複数指定できるようにしてもよい。
【０２２８】
また、書換部３ｄによるアクセスリストの書き換えを、権限委譲先ウォッチャが実際に代行モニタリングを開始するタイミングまで待つようにしてもよい。
【０２２９】
例えば、元ウォッチャの利用者が、代行ウォッチャが実際に代行モニタリングを開始するタイミングを示すタイミング情報を送信部２ｃに入力する。
【０２３０】
送信部２ｃは、そのタイミング情報を付加した権限委譲要求を生成し、その生成された権限委譲要求を受信部３ａに送信する。
【０２３１】
その送信された権限委譲要求は、受信部３ａおよび判定部３ｃを介して、書換部３ｄに提供される。
【０２３２】
書換部３ｄは、判定部３ｃが配信先の変更を許可すると判定すると、その権限委譲要求に付加されたタイミングで、アクセスリストを書き換える。
【０２３３】
この場合、権限委譲元ウォッチャから、権限委譲先ウォッチャへの権限の委譲が、時間的隔たりなく行えるようになる。
【０２３４】
以上説明した各実施例において、図示した構成は単なる一例であって、本発明はその構成に限定されるものではない。
【０２３５】
また、本実施例は、例えば、以下の分野で利用されることが考えられる。
【０２３６】
離れて暮らす家族の安否や、在宅介護の患者の健康状態の確認、機器の動作状況のモニタリングなど、対象の状態を常に確認する必要があるような状況において、一時的にモニタリングを他者に依頼したい場合などに利用できる。本実施例は、特に、依頼する相手が特定できない状況において、有効である。
【図面の簡単な説明】
【０２３７】
【図１】本発明の第１実施例の配信先管理装置を示したブロック図である。
【図２】アクセス管理部の一例を示した説明図である。
【図３】バディリスト管理部の一例を示した説明図である。
【図４】権限委譲要求の一例を示した説明図である。
【図５】第１実施例の具体例を示したブロック図である。
【図６】第１実施例の他の例を示したブロック図である。
【図７】図６に示した例の動作を説明するためのブロック図である。
【図８】本発明の第２実施例の配信先管理装置を示したブロック図である。
【図９】代行リスト管理部とアクセス管理部の一例を示した説明図である。
【図１０】第２実施例の具体例を示したブロック図である。
【図１１】第２実施例の他の例を示したブロック図である。
【図１２】図１１に示した例の動作を説明するためのブロック図である。
【図１３】本発明の第３実施例の配信先管理装置を示したブロック図である。
【符号の説明】
【０２３８】
１      プレゼンスサービス部
１ａ    アクセスリスト管理部
１ｂ    バディリスト管理部
２      権限委譲要求生成部
２ａ    バディ選択部
２ｂ    権限委譲先決定部
２ｃ    権限委譲要求送信部
３      一時アクセス管理部
３ａ    権限委譲要求受信部
３ｂ    格納部
３ｃ    代行可否判定部
３ｄ    アクセスリスト書換部
３ｅ    代行リスト管理部
４      情報提供者端末
５      受信者端末
６      Ｗｅｂインタフェース
Ｐ、Ｑ  プレゼンティティ
Ｘ、Ｙ  ウォッチャ
【図１】
2006209193.tif 000003
【図２】
2006209193.tif 000004
【図３】
2006209193.tif 000005
【図４】
2006209193.tif 000006
【図５】
2006209193.tif 000007
【図６】
2006209193.tif 000008
【図７】
2006209193.tif 000009
【図８】
2006209193.tif 000010
【図９】
2006209193.tif 000011
【図１０】
2006209193.tif 000012
【図１１】
2006209193.tif 000013
【図１２】
2006209193.tif 000014
【図１３】
2006209193.tif 000015